(57)【要約】【課題】  ハウジングとシールドカバーとをスライド係合させてなるカードコネクタにおいて、カードコネクタの外形寸法を大きくすることなく、印刷配線基板に実装される前の状態での破壊を防ぐこと。【解決手段】  ハウジング１０をシールドカバー３０で覆うことによって形成されるカード収容空間４０の内方へ向けて、シールドカバー３０の一部を切り起こしてランス係止片３２を形成し、ランス係止片３２の先端とハウジング１０の一部とを当接させて、ハウジング１０とシールドカバー３０とをランス係止したことで、スライド係合の係止強度を向上させた。【選択図】図２
2014107260.tif 000002
【特許請求の範囲】
【請求項１】
メモリーカード等のカードをスライド挿抜可能に収容するカードコネクタであって、
ハウジングをシールドカバーで覆うことによって形成されるカード収容空間と、
ハウジングに固定され、カード収容空間の内方へ弾性変位可能に突出し、カードに配設されている電極と弾性接触するコンタクトと、を備え、
シールドカバーをハウジングに対してスライドさせることによって、シールドカバーとハウジングとを互いに係合させてなるものにおいて、
シールドカバーの一部をカード収容空間の内方へ向けて切り起こして形成されたランス係止片の先端と、ハウジングの一部とが当接することによって、ハウジングとシールドカバーとがランス係止されていることを特徴とするカードコネクタ。
【請求項２】
カードが所定の装着位置に収容されている状態において、ランス係止片がカードに弾性接触することを特徴とする請求項１記載のカードコネクタ。
【発明の詳細な説明】
【技術分野】
【０００１】  本発明は、カードコネクタに関するものであり、さらに詳しくは、金属性薄板で形成されたシールドカバーをハウジングに対してスライドさせることで、双方を互いに係合させる構造のカードコネクタに関するものである。
【背景技術】
【０００２】  電気的な記憶手段を内蔵しているメモリーカード等のカードと、機器側の印刷配線基板との電気的接続を得るための手段として、いわゆるカードコネクタが広く用いられている。本願出願人も、特許文献１に示されるようなカードコネクタを提案している。この従来例に係るカードコネクタについて、本願、図７および図８に基づいて説明する。【０００３】  従来例に係るカードコネクタ１００は、カードをスライド挿抜可能に収容するものであり、ハウジング１０をシールドカバー３０で覆うことによって形成されるカード収容空間４０を備えるものである。尚、カードは、図７において左側に位置する開口部分から挿入される。ハウジング１０とシールドカバー３０とは、カードのスライド挿抜方向に沿って、ハウジング１０に対してシールドカバー３０をスライドさせることによって互いに係合する構造となっており、ハウジング１０の側面に設けられている第１係止凸部１１と、シールドカバー３０の側面に設けられている側面係止片３１とを互いにランス係止させることによって、そのスライドが係止されている。【０００４】  第１係止凸部１１は、図７における円内に拡大して示しているように、ハウジング１０の側面の一部を外側へ、くさび形に突出させて設けられている凸形状部である。さらに詳述すると、第１係止凸部１１は、カード挿入方向の奥側から手前側にかけて徐々に突出量を増している傾斜壁１１ａと、突出寸法が最大となった箇所から傾斜壁の基点となったハウジング１０の側面へ向けてほぼ垂直をなす垂直壁１１ｂとを有する凸形状をなしている。【０００５】  また、側面係止片３１は、シールドカバー３０の側面の一部を切り欠くことによって、その先端部がカードコネクタ１００の幅方向に沿って弾性変位可能に形成されている弾性片部である。このカードコネクタ１００の組み立て手順について、図８を参照しながら詳述する。【０００６】  （ａ）は、ハウジング１０とシールドカバー３０とを組み合わせる前の状態を示している。カードがスライド挿抜される方向に沿った方向において、ハウジング１０とシールドカバー３０を図示した位置関係とした上で、シールドカバー３０を真下方向（矢印で示す方向）へと移動させてハウジング１０に被せる。【０００７】  （ｂ）は、ハウジング１０にシールドカバー３０を被せた状態であって、スライド係合させる前の状態を示している。このとき、側面係止片３１は、第１係止凸部１１よりもカード挿入方向の奥側に位置している。この後、シールドカバー３０を、ハウジング１０に対して、カードを抜き取る方向（矢印で示す方向）へとスライドさせる。【０００８】  （ｃ）は、シールドカバー３０をスライドさせて、スライド係合を完了させた状態を示している。（ｂ）の状態から（ｃ）の状態の寸前に至るまでの間において、側面係止片３１は第１係止凸部１１の傾斜壁１１ａと当接した状態にあり、（ｂ）の状態からスライドが進行するに伴って、傾斜壁１１ａに沿って、カードコネクタ１００の幅方向外側へ向けた弾性変位量を徐々に増していく。（ｃ）の状態になると、側面係止片３１は第１係止凸部１１と当接しなくなり、弾性変位が生じていない元の位置へと復帰する。この結果、側面係止片３１が第���係止凸部１１の垂直壁１１ｂに当接して、いわゆるランス係止されることで、シールドカバー３０が（ｂ）の状態に戻る方向へと移動することが制止され、組み立てが完了する。【０００９】  尚、ハウジング１０のカード挿入方向奥側に設けられている第２係止凸部１２も第１係止凸部１１と同様な形状であり、この第２係止凸部１２によって、ハウジング１０とシールドカバー３０とがカードの厚さ方向について係止されている。
【先行技術文献】
【特許文献】
【００１０】
【特許文献１】意匠登録第１４１００７３号公報
【発明の概要】
【発明が解決しようとする課題】
【００１１】  従来例に係るカードコネクタ１００は、上述の通り、スライド係合を係止するために、カードコネクタ１００の側面に、第１係止凸部１１と側面係止片３１とからなるランス係止構造を設けたものである。しかしながら、これらの係合量寸法は、シールドカバー３０を形成する金属薄板の板厚分程度になっており、必ずしも十分な係合量と言えるものではなかった。例えば、このようなカードコネクタ１００を印刷配線基板に実装するために搬送する際、搬送機によって、シールドカバー３０の上面に対して、同面をカード収容空間４０の内方へ向けて押し下げる方向の外力が作用し、これに伴って、シールドカバー３０の側面が外側に開く方向に撓みが生じるため、上述のランス係止が外れて、ハウジング１０とシールドカバー３０とが分解するようにカードコネクタ１００が破壊されてしまう場合があった。【００１２】  このようなカードコネクタ１００の破壊を防ぐためには、第１係止凸部１１と側面係止片３１との間の係合量寸法を大きくすることで、相互間の係止強度を高めることが有効であると考えられる。具体的には、第１係止凸部１１の外側方向への突出量を大きくすることで係合量寸法を大きくすることが可能であるが、この場合、突出量を大きくすることに伴ってカードコネクタ１００の幅方向の外形寸法が大きくなってしまうという弊害を来たす。【００１３】  本発明は、このような課題を解決するためになされたものであり、ハウジングとシールドカバーとをスライド係合させてなるカードコネクタにおいて、カードコネクタの外形寸法を大きくすることなくスライド係合の係止強度を向上させることで、搬送時など、印刷配線基板に実装される前の状態でカードコネクタが破壊されることを防ぐことを目的とする。【００１４】  さらには、スライド係合の係止強度を向上させるための構造を利用して、収容されるカードに対する保持力をも同時に向上させることで、不意にカードが脱落してしまう虞を軽減することを目的とする。
【課題を解決するための手段】
【００１５】  前述の課題を解決するために、本発明による請求項１記載のカードコネクタは、メモリーカード等のカードをスライド挿抜可能に収容するものであって、ハウジングをシールドカバーで覆うことによって形成されるカード収容空間と、ハウジングに固定され、カード収容空間の内方へ弾性変位可能に突出し、カードに配設されている電極と弾性接触するコンタクトとを備え、シールドカバーをハウジングに対してスライドさせることによって、シールドカバーとハウジングとを互いに係合させてなるものにおいて、シールドカバーの一部をカード収容空間の内方へ向けて切り起こして形成されたランス係止片の先端と、ハウジングの一部とが当接することによって、ハウジングとシールドカバーとがランス係止されていることを特徴とする。【００１６】  本発明による請求項１記載の発明によれば、ランス係止片をカードコネクタのカード収容空間の内方へ向けて切り起こして設けたので、カードコネクタの外形寸法への影響を来たすことなく、十分なランス係止の係合量寸法を確保することができる。これによって、十分なランス係止強度を得ることができるため、ランス係止が外れてしまうことに起因するカードコネクタの破壊を効果的に防ぐことができる。【００１７】  本発明による請求項２記載のコネクタは、カードが所定の装着位置に収容されている状態において、ランス係止片がカードに弾性接触することを特徴とする。【００１８】  本発明による請求項２記載の発明によれば、所定の装着位置に収容されている状態のカードに対してランス係止片の弾性力が作用するので、カードの保持力を向上させることができる。
【発明の効果】
【００１９】  本発明によれば、ハウジングとシールドカバーとをスライド係合させてなるカードコネクタにおいて、カードコネクタの外形寸法を大きくすることなくスライド係合の係止強度を大幅に改善することができるので、搬送時など、印刷配線基板に実装される前の状態でカードコネクタが破壊されることを防ぐことができる。【００２０】  また、スライド係合の係止強度を向上させるための構造を利用して、収容されるカードに対する保持力をも同時に向上させることができるので、不意にカードが脱落してしまうような虞を軽減することができる。
【図面の簡単な説明】
【００２１】
【図１】本発明の一実施例に係るカードコネクタの分解図である。
【図２】図１に示すカードコネクタの完成状態を示す外観図である。
【図３】図１に示すカードコネクタの要部断面図である。
【図４】図１に示すカードコネクタをカードと共に示した外観図である。
【図５】図４に対応した要部断面図である。
【図６】図１に示すカードコネクタの組立工程を説明するための図である。
【図７】従来のカードコネクタを示す図である。
【図８】図７に示す従来のカードコネクタの組立工程を説明するための図である。
【発明を実施するための形態】
【００２２】  本発明の実施例に係るカードコネクタ１について、図１ないし図６を用いて説明する。これらの図における符号に関して、上述した従来例と共通する部位については、共通の符号を付与している。
【００２３】  図１は、本発明の実施例に係るカードコネクタ１の分解図である。カードコネクタ１を構成する主要な部材は、ハウジング１０、コンタクト２０、および、シールドカバー３０である。
【００２４】  ハウジング１０は、絶縁性合成樹脂によって形成されている。ハウジング１０には、後に詳述するコンタクト２０が固定されている。ハウジング１０の側面上には、従来例と同様に、第１係止凸部１１と第２係止凸部１２が形成されている。また、カード収容空間４０を区画する垂直な（カードの厚さ方向に沿った）壁面において、図示する箇所に後述するランス係止片３２の先端が当接するランス係止当接部１３が位置している。
【００２５】  コンタクト２０は、弾性を有する導電性金属板材料によって長尺状に形成されている。コンタクト２０の一方の端部は、カードの厚さ方向に弾性変位可能な状態でカード収容空間４０の内方へ突出しており、挿入されるカードに設けられている電極に弾性接触して、電気的導通が得られるように配設されている。他方の端部側は、ハウジング１０に一体的に成形されて固定されており、さらにその先端部分は、カードコネクタ１を印刷配線基板（図示しない）に実装した際にハンダ付けするための端子となっている。本実施例の場合は、８個のコンタクト２０が用いられているが、挿入されるカードに応じて、必要な数量のコンタクト２０を有してよい。
【００２６】  シールドカバー３０は、弾性を有する金属薄板材料をプレス加工することによって、上述のハウジング１０の上面と左右側面を覆う形状に形成されている。尚、図示における手前側の部分は、カードが挿通可能となるように開口されており、この開口を介してカードがスライド挿抜される（カード２が収容されている状態を図４に示している）。シールドカバー３０の図示手前側の側面上には、従来例と同様な側面係止片３１が形成されている。シールドカバー３０におけるカード収容空間４０の上面をなす面には、その面の一部をカード収容空間４０の内方へ向けて切り起こして、カードの厚さ方向に沿って弾性変位可能なランス係止片３２が形成されている。尚、後の説明において、図示されているランス係止片３２の状態を、ランス係止片３２の「初期の位置」と称する場合がある。
【００２７】  図２は、本実施例に係るカードコネクタ１の完成状態を示す外観図であり、図３は、図２中のＡ−Ａ線に沿った要部の断面図である。本実施例に係るカードコネクタ１は、カードをスライド挿抜可能に収容するものであって、ハウジング１０をシールドカバー３０で覆うことによって形成されるカード収容空間４０を備えていること、ハウジング１０とシールドカバー３０とは、カードのスライド挿抜方向に沿って、ハウジング１０に対してシールドカバー３０をスライドさせることによって互いに係合する構造であること、第１係止凸部１１と側面係止片３１とがランス係止する構造であること、ならびに、第２係止凸部１２によってハウジング１０とシールドカバー３０とがカードの厚さ方向について係止されていることは、従来例に係るカードコネクタ１００と同様である。従来例に対する相違点は、本実施例において、上述したランス係止片３２の先端がハウジング１０のランス係止当接部１３に当接している点にある。
【００２８】  ランス係止片３２とランス係止当接部１３との間の係合量寸法は、概ねシールドカバー３０の板厚の３倍程度である。これは、板厚分程度であった従来の第１係止凸部１１と側面係止片３１との間の係合量寸法に対して十分に大きい。従って、たとえカードコネクタ１に外力が作用してシールドカバー３０に撓みが生じた場合であっても、容易にランス係止が外れることのない十分なランス係止強度を有している。さらに、ランス係止片３２をカード収容空間４０の内方へ向けて切り起こしているため、カードコネクタ１の外形が大きくなるような悪影響を来たすことがない。
【００２９】  図４は、本実施例に係るカードコネクタ１にカード２が挿入されて、カード２が所定の位置で収容されている状態を示す図であり、図５は、図４中のＢ−Ｂ線に沿った要部の断面図である。カード２が収容されている状態では、ランス係止片３２の先端付近がカード２の表面に当接している。ランス係止片３２は、上述の通りカード２の厚さ方向に沿って弾性変位可能であるので、カード２の表面に弾性接触している状態となっている。（カード２が抜去された場合には、ランス係止片３２は初期の位置へと復帰する。）この弾性力の作用によって、カードコネクタ１のカード２を保持する力が向上するので、例えば、カード２が挿入されている状態で強い衝撃が加わったような場合に、不意にカード２が脱落してしまう可能性を極めて小さくすることができる。
【００３０】  図６（ａ）ないし（ｃ）は、本実施例の組み立て工程を示す側面図である。本実施例の組み立て手順は上述の従来例の場合と変わらず、組み立ての際における第１係止凸部１１と側面係止片３１の挙動についても従来例と同様である。従って、ここでは従来例との相違点を中心に述べるにとどめる。尚、これらの図において、外観上視認されないランス係止片３２の状態を破線で示している。
【００３１】  （ａ）は、ハウジング１０とシールドカバー３０とを組み合わせる前の状態を示している。このときランス係止片３２は、破線で示される初期の位置にある。（ｂ）は、ハウジング１０にシールドカバー３０を被せた状態であって、スライド係合させる前の状態を示している。このときランス係止片３２は、ランス係止当接部１３の上面側と干渉するため、一時的に上方向に弾性変位し、シールドカバー３０上面よりも突出した状態となっている。（ｃ）は、ハウジング１０に対してシールドカバー３０をスライドさせ、スライド係合を完了させた状態を示している。（ｂ）の状態から（ｃ）の状態に至る寸前までの間、ランス係止片３２はランス係止当接部１３の上面側と干渉し続けるが、最終的に、（ｃ）の状態に至った時点で干渉がなくなって、ランス係止片３２が初期の位置に復帰する。この結果、ランス係止片３２の先端がランス係止当接部１３に当接してランス係止され、シールドカバー３０の（ｂ）の状態に戻る方向への移動が制止され、組み立てが完了する。
【産業上の利用可能性】
【００３２】  本発明は、ハウジングとシールドカバーとをスライド係合させてなるカードコネクタにおいて好適に利用することが可能である。
【符号の説明】
【００３３】１  カードコネクタ
１０  ハウジング
１１  第１係止凸部
１１ａ  傾斜壁
１１ｂ  垂直壁
１２  第２係止凸部
１３  ランス係止当接部
２０  コンタクト
３０  シールドカバー
３１  側面係止片
３２  ランス係止片
４０  カード収容空間
２  カード
１００  従来のカードコネクタ
【図１】
2014107260.tif 000003
【図２】
2014107260.tif 000004
【図３】
2014107260.tif 000005
【図４】
2014107260.tif 000006
【図５】
2014107260.tif 000007
【図６】
2014107260.tif 000008
【図７】
2014107260.tif 000009
【図８】
2014107260.tif 000010